(57)【要約】【課題】肩口部とか首回りの保温性を向上させ、快適に睡眠することができる寝袋を提供する。【解決手段】敷布団となる下部布団と掛け布団となる上部布団とが、頭部の位置する一側を除き連結され、頭部の位置する上部布団の中央付近にファスナーで頭部が出るように上部がＶ字形の所望の大きさに開くように形成することとにより、肩口部とか首回りの保温性を向上させた。【選択図】図１
2016016136.tif 000002
【特許請求の範囲】
【請求項１】
敷布団となる下部布団と掛け布団となる上部布団とが、頭部の位置する一側を除き連結され、頭部の位置する上部布団の中央付近にファスナーで頭部が出るように上部布団がＶ字形の所望の大きさに開くように形成したことを特徴とする寝袋。
【請求項２】
前記下部布団は、エアーマットを内側生地と裏側生地で挟持するように形成する請求項１記載の寝袋。
【請求項３】
前記寝袋下部布団の内側生地と裏側生地との間には、断熱シートと中わたが挿入されている請求項１記載の寝袋。
【請求項４】
前記上部布団は、断熱シートを挿入しないで、中わたのみ挿入し、中わたの量も下部布団より少なくする請求項１〜３のいずれかに記載の寝袋。
【請求項５】
前記頭部が位置する下部布団には、空気枕挿入用ポケットを形成する請求項１〜４のいずれかに記載の寝袋。
【請求項６】
前記上部布団と下部布団とは、ファスナーで開閉し得るように連結する請求項１〜５のいずれかに記載の寝袋。
【請求項７】
前記Ｖ字形を形成するファスナー終部には、補強用生地を固定する請求項１〜６のいずれかに記載の寝袋。
【請求項８】
前記上部布団と下部布団とをそれぞれ内側に二つ折りし、それを重ねて、上端又は下端から丸めて縛る紐が、上部布団若しくは下部布団の折曲部と連結部の間に連結されている請求項１〜７のいずれかに記載の寝袋。
【請求項９】
前記下部布団の裏側には、両端が手持ち部となるベルトが中央、上部及び下部の横方向に、下部布団の両端から出ないように連結され、簡易担架の機能も有する請求項１〜８のいずれかに記載の寝袋。
【発明の詳細な説明】
【技術分野】
【０００１】
この発明は、帰宅困難者や災害時避難所生活等において使用する寝袋に係り、詳記すれば、快適な睡眠が得られるように工夫され、しかもコンパクトに折り畳むことができる寝袋に関する。
【背景技術】
【０００２】
下部布団となる敷布団部と上部布団となる掛け布団部から形成した寝袋は、寝袋としては、普段の布団と似ているので寝やすい。しかしこの寝袋は、戸外とか室内の床等に敷いて寝るため、肩口部が冷えて寝にくいと言う欠点がある。  
【０００３】
また、寝袋は、持ち運びをするので、できるだけコンパクトに折り畳めるのが好ましい。
【発明の概要】
【発明が解決しようとする課題】
【０００４】
この発明は、このような点に着目してなされたものであり、この発明のうち請求項１に記載の発明は、肩口部とか首回りの保温性を向上させ、快適に睡眠することができる寝袋を提供することを目的とする。  
【０００５】
また請求項２に記載の発明は、上記目的に加えて、コンパクトに折り畳むことができる寝袋を提供することを目的とする。
【課題を解決するための手段】
【０００６】
上記目的を達成するため本発明者は、鋭意研究の結果、上部布団の首回りをＶ字形とし、しかもＶ字の大きさを自在に変え得るように形成することによって、使用場所に応じた首回りの保温性が得られることを見出し、本発明に到達した。即ち本発明は、敷布団となる下部布団と掛け布団となる上部布団とが、頭部の位置する一側を除き連結され、頭部の位置する上部布団の中央付近にファスナーで頭部が出るように上部布団がＶ字形の所望の大きさに開くように形成したことを特徴とする（請求項１）。  
【０００７】
前記下部布団は、エアーマットを内側生地と裏側生地で挟持するように形成するのが、断熱性に優れると共にコンパクトに折り畳むことができることから好ましい（請求項２）。  
【０００８】
前記下部布団は、内側生地と裏側生地との間に、断熱シートと中わたが挿入されていても良い（請求項３）。  
【０００９】
前記上部布団は、断熱シート９を挿入しないで、中わたのみ挿入し、中わたの量も下部布団より少なくするのが良い（請求項４）。  
【００１０】
前記頭部が位置する下部布団には、空気枕挿入用ポケットを形成するのが、空気枕が固定され、快適な睡眠が得られることから好ましい（請求項５）。  
【００１１】
前記上部布団と下部布団とは、ファスナーで開閉し得るように連結するのが、夏の暑い日とかは、上部布団をめくって寝ることができることから好ましい（請求項６）。  
【００１２】
前記Ｖ字形を形成するファスナー終部には、補強用生地を固定するのが強度上の理由で好ましい（請求項７）。前記上部布団と下部布団とをそれぞれ内側に二つ折りし、それを重ねて、上端又は下端から丸めて縛る紐が上部布団又は下部布団の折曲部と連結部の間に連結されているのが好ましい（請求項８）。前記下部布団の裏面には、両端が手持ち部となるベルトが中央、上部及び下部の横方向に、下部布団の両端から出ないように連結され、簡易担架の機能も有するようにするのが好ましい（請求項９）。
【発明の効果】
【００１３】
本発明のうち、請求項１に記載の発明によれば、顔の出る部分は、Ｖ字形に開くように形成され、しかもＶ字の大きさは調整可能なので、肩口部とか首回りの保温性を外気に応じて向上させることができ、快適な睡眠を得ることができる。
【図面の簡単な説明】
【００１４】
【図１】本発明の寝袋の上部布団の（Ａ）表面図、（Ｂ）裏面図である。
【図２】本発明の寝袋の上部布団と下部布団とを開いた図である。
【図３】本発明の寝袋の下部布団の断面図である。
【図４】本発明の寝袋の他の実施例を示す下部布団の断面図である。
【図５】本発明に使用する空気枕の斜視図である。
【図６】本発明の寝袋を折り畳んで収容するナップサックである。
【符号の説明】
【００１５】
１・・・・・・寝袋の上部布団
２・・・・・・寝袋の下部布団
３・・・・・・ファスナー
３´・・・・・ファスナー
４・・・・・・空気枕
５・・・・・・空気枕挿入ポケット
６・・・・・・内側生地
７・・・・・・裏側生地
８・・・・・・エアーマット
９・・・・・・断熱シート１０
１０・・・・・中わた
１１・・・・・紐
１２・・・・・ナップサック
１３・・・・・細長い長方形とした紐（ベルト）
１４・・・・・補強用三角生地
【発明を実施するための形態】
【００１６】
次に、本発明の実施の形態を説明する。
【００１７】
図１は、本発明の寝袋を示すものであり、図２は、本発明の寝袋を開いた状態を示すものである。
【００１８】
掛け布団となる寝袋の上部布団１と敷布団となる寝袋の下部布団２とは、ファスナー３で連結され、ファスナー３で図１に示すように上端を除き閉じることができるようになっている。ファスナー３で、上部布団１と下部布団２とを完全に切り離すこともできる。
【００１９】
図２に示すように、上部布団の上端から顔部が出る程度にファスナー３´でＶ字状に開くことができるようになっている。このＶ字の大きさは、その時の外気の状態に応じて最適な大きさとすることができる。ファスナー３´で開いて内側にＶ字形に折曲するわけであるが、このように折曲することによってＶ字の大きさは、固定される。ファスナー終部には、補強用三角生地１４が固定されている。
【００２０】
図２に示すように、寝袋下部布団２の内側上部には、図５に示す空気枕４が挿入できる空気枕挿入ポケット５が形成されている。このように形成すると、空気枕４が固定されるので、快適に睡眠することができる。
【００２１】
図３に示すように、寝袋下部布団２の内側生地６と裏側生地７との間には、エアーマット８が挿入されている。このように形成することによって、断熱性に優れると共にコンパクトに折り畳むことができる。
【００２２】
図４は、本発明の他の実施例を示すものであり、寝袋下部布団の内側生地６と裏側生地７との間には、断熱シート９と中わた１０が挿入されている。この場合は、寝袋上部布団には、断熱シート９を挿入しないで、中わた１０の量も上部布団より少なくするのが良い。コンパクトに折り畳めるようにするためである。
【００２３】
寝袋下部布団２にエアーマット８を挿入した場合も、上部布団は、上記のように中わたを挿入したものを使用する。エアーマットを使用したのでは、布団の感触が失われるからである。
【００２４】
前記上部布団１と下部布団２をそれぞれ内側に二つ折りし、それを重ねて、上端又は下端から丸めて、下部布団２の下端の中央より上部布団１の連結側に連結した縛１１で縛ってコンパクトに丸めることができる。これを図６に示すナップサック１２に詰めて運ぶことができる。下部布団２にエアーマット８を使用すると更に一段とコンパクトにすることができる。
【００２５】
前記下部布団２の裏面には、両端が手持ち部となる細長い長方形の紐（ベルト）１３が、中央と上部及び下部の横方向に固定し、簡易担架として３人で運べるようになっている。細長い長方形の紐１３の両端は、手持ち部にするため、裏側生地に固定されていない。また、この両端は、図１に示すように下部両端から出ないように固定されている。足を引っ掛けて転倒しないようにするためである。
【産業上の利用可能性】
【００２６】
従来、敷布団となる下部布団と掛け布団となる上部布団とを連結した寝袋は、戸外とか床上で寒い季節に寝るときは、肩口が冷えて快適に眠ることができなかったが、本発明により、上部布団の顔が出る部分を、大きさが可変のＶ字形に形成したので、常に快適に睡眠できるから、その利用が期待される。
【図１】
2016016136.tif 000003
【図２】
2016016136.tif 000004
【図３】
2016016136.tif 000005
【図４】
2016016136.tif 000006
【図５】
2016016136.tif 000007
【図６】
2016016136.tif 000008